(57)【特許請求の範囲】
【請求項１】
搬送方向に搬送される媒体に、記録可能な記録部と、
前記搬送方向の上流側から前記記録部における記録領域に前記媒体を送出可能な第１のユニットと、
前記記録領域から前記搬送方向の下流側に送られた前記媒体を回収可能な第２のユニットと、を備え、
前記第１のユニットは前記搬送方向の下流側に移動可能であるとともに、前記第２のユニットは前記搬送方向の上流側に移動可能であり、
前記第２のユニットは前記搬送方向の上流側から前記記録領域に前記媒体を送出可能であるとともに、前記第１のユニットは前記記録領域から前記搬送方向の下流側に送られた前記媒体を回収可能であり、
前記第１のユニット及び前記第２のユニットは、前記搬送方向の上流側の前記媒体の送出位置と前記搬送方向の下流側の前記媒体の回収位置とを、直線移動することを特徴とする記録装置。
【請求項２】
請求項１に記載の記録装置において、
前記第１のユニット及び前記第２のユニットは、前記搬送方向と交差する方向に回転軸
を有する回転体であり、前記媒体としてロール状の媒体を使用した場合に、該媒体を回転
させることにより送出可能であるとともにロール状に巻き取って回収可能であることを特
徴とする記録装置。
【請求項３】
請求項２に記載の記録装置において、
前記第１のユニット及び前記第２のユニットの少なくとも一方は、第１の回転方向及び
該第１の回転方向とは反対側の回転方向である第２の回転方向に回転可能であることを特
徴とする記録装置。
【請求項４】
請求項１から３のいずれか１項に記載の記録装置において、
前記第１のユニット及び前記第２のユニットは、前記記録部よりも前記記録装置の設置
部側に設けられることを特徴とする記録装置。
【請求項５】
請求項１から４のいずれか１項に記載の記録装置において、
前記送出位置と前記回収位置との直線移動をガイドするガイド部を備えることを特徴と
する記録装置。
【請求項６】
記録部における記録領域に、媒体の搬送方向の上流側から、第１のユニットにより前記媒体を送出する第１の送出工程と、
前記記録領域に送出された前記媒体の第１の面に、記録する第１の記録工程と、
前記第１の面に記録された前記媒体を、前記記録領域よりも前記搬送方向の下流側から、第２のユニットにより回収する第１の回収工程と、
前記第１のユニットを前記搬送方向の下流側に直線移動するとともに、前記第２のユニットを前記搬送方向の上流側に直線移動するユニット移動工程と、
前記第２のユニットにより前記搬送方向の上流側から前記記録領域に前記媒体を送出する第２の送出工程と、
前記記録領域に送出された前記媒体の前記第１の面とは反対側の第２の面に、記録する第２の記録工程と、
前記第２の面に記録された前記媒体を、前記搬送方向の下流側において、前記第１のユニットにより回収する第２の回収工程と、
を有することを特徴とする記録方法。
【発明の詳細な説明】
【技術分野】
【０００１】
本発明は、記録装置及び記録方法に関する。
【背景技術】
【０００２】
従来から、インクなどの液体を媒体に吐出する等して記録する記録装置が使用されている。このうち、ロール状の媒体に記録する記録装置がある。  
例えば、特許文献１には、ロール状の媒体を記録位置に送出可能な繰り出し手段と、記録がなされた媒体をロール状に巻き取る巻き取り手段と、を備える記録装置が開示されている。
【先行技術文献】
【特許文献】
【０００３】
【特許文献１】特開２０１２−１６６９１５号公報
【発明の概要】
【発明が解決しようとする課題】
【０００４】
ここで、記録装置において、媒体の両面に記録することは、一般的に行われている。  
しかしながら、特許文献１の装置のような、ロール状の媒体を記録位置に送出可能な繰り出し手段と、記録がなされた媒体をロール状に巻き取る巻き取り手段と、を備える記録装置などでは、媒体の両面に記録するために、ユーザーは、巻き取り手段で巻き取った媒体を一度巻き取り手段などから取り外し、改めて繰り出し手段などに該媒体をセットする必要があった。特に、媒体として大きく重いものを使用する場合、ユーザーにとってこのような作業が大きな負荷になっていた。
【０００５】
そこで、本発明の目的は、媒体の両面に記録する際のユーザーの負荷を抑制することである。
【課題を解決するための手段】
【０００６】
上記課題を解決するための本発明の第１の態様の記録装置は、搬送方向に搬送される媒体に、記録可能な記録部と、前記搬送方向の上流側から前記記録部における記録領域に前記媒体を送出可能な第１のユニットと、前記記録領域から前記搬送方向の下流側に送られた前記媒体を回収可能な第２のユニットと、を備え、前記第１のユニットは前記搬送方向の下流側に移動可能であるとともに、前記第２のユニットは前記搬送方向の上流側に移動可能であり、前記第２のユニットは前記搬送方向の上流側から前記記録領域に前記媒体を送出可能であるとともに、前記第１のユニットは前記記録領域から前記搬送方向の下流側に送られた前記媒体を回収可能であることを特徴とする。
【０００７】
本発明の第２の態様の記録装置は、前記第１の態様において、前記第１のユニット及び前記第２のユニットは、前記搬送方向と交差する方向に回転軸を有する回転体であり、前記媒体としてロール状の媒体を使用した場合に、該媒体を回転させることにより送出可能であるとともにロール状に巻き取って回収可能であることを特徴とする。
【０００８】
本発明の第３の態様の記録装置は、前記第２の態様において、前記第１のユニット及び前記第２のユニットの少なくとも一方は、第１の回転方向及び該第１の回転方向とは反対側の回転方向である第２の回転方向に回転可能であることを特徴とする。
【０００９】
本発明の第４の態様の記録装置は、前記第１から第３のいずれか１つの態様において、前記第１のユニット及び前記第２のユニットは、前記記録部よりも前記記録装置の設置部側に設けられることを特徴とする。
【００１０】
本発明の第５の態様の記録装置は、前記第１から第４のいずれか１つの態様において、前記第１のユニット及び前記第２のユニットは、前記搬送方向の上流側の前記媒体の送出位置と前記搬送方向の下流側の前記媒体の回収位置とを、直線移動することを特徴とする。
【００１１】
本発明の第６の態様の記録装置は、前記第５の態様において、前記送出位置と前記回収位置との直線移動をガイドするガイド部を備えることを特徴とする。
【００１２】
本発明の第７の態様の記録装置は、前記第１から第４のいずれか１つの態様において、前記第１のユニット及び前記第２のユニットは、前記搬送方向の上流側の前記媒体の送出位置と前記搬送方向の下流側の前記媒体の回収位置とを、前記搬送方向と交差する方向の回転軸を基準として回転移動可能であることを特徴とする。
【００１３】
本発明の第８の態様の記録方法は、記録部における記録領域に、媒体の搬送方向の上流側から、第１のユニットにより前記媒体を送出する第１の送出工程と、前記記録領域に送出された前記媒体の第１の面に、記録する第１の記録工程と、前記第１の面に記録された前記媒体を、前記記録領域よりも前記搬送方向の下流側から、第２のユニットにより回収する第１の回収工程と、前記第１のユニットを前記搬送方向の下流側に移動するとともに、前記第２のユニットを前記搬送方向の上流側に移動するユニット移動工程と、前記第２のユニットにより前記搬送方向の上流側から前記記録領域に前記媒体を送出する第２の送出工程と、前記記録領域に送出された前記媒体の前記第１の面とは反対側の第２の面に、記録する第２の記録工程と、前記第２の面に記録された前記媒体を、前記搬送方向の下流側において、前記第１のユニットにより回収する第２の回収工程と、を有することを特徴とする。
【発明の効果】
【００１４】
本発明によれば、媒体の両面に記録する際のユーザーの負荷を抑制することができる。
【図面の簡単な説明】
【００１５】
【図１】本発明の実施例１に係る記録装置を表す概略側面図。
【図２】本発明の実施例１に係る記録装置を表す概略正面図。
【図３】本発明の実施例１に係る記録装置を表す概略側面図。
【図４】本発明の実施例１に係る記録装置のブロック図。
【図５】本発明の実施例２に係る記録装置を表す概略側面図。
【図６】本発明の一実施例に係る記録方法のフローチャート。
【図７】従来の記録装置を表す概略側面図。
【発明を実施するための形態】
【００１６】
以下に、本発明の一実施例に係る記録装置について、添付図面を参照して詳細に説明する。
【００１７】
［実施例１］（図１〜図４）  
図１は本実施例の記録装置１を表す概略側面図であり、図２は本実施例の記録装置１を表す概略正面図である。なお、図１は被記録媒体Ｐ（媒体）がセット部２にセットされさらにインク（液体）の吐出領域である記録領域Ｒに該被記録媒体Ｐがある状態（記録が可能な状態）を表しており、図２は被記録媒体Ｐがセット部２にセットされただけの状態を表している。
【００１８】
図１及び図２で表されるように、本実施例の記録装置１は、被記録媒体Ｐをインクの記録領域Ｒに送出可能な第１のユニットとしての被記録媒体Ｐのセット部２から、被記録媒体Ｐの支持部であるプラテン３を介して、被記録媒体Ｐを回収可能な第２のユニットとしての被記録媒体Ｐの巻取部４まで、被記録媒体Ｐを搬送方向Ａに搬送する。すなわち、セット部２から巻取部４までが記録装置１における被記録媒体Ｐの搬送経路であり、プラテン３は該搬送経路に設けられた被記録媒体Ｐの支持部である。なお、図１の状態から記録を実行する場合、セット部２は第１の回転方向である回転方向Ｃ１に被記録媒体Ｐを回転して該被記録媒体Ｐを送出し、巻取部４は回転方向Ｃ１に回転して被記録媒体Ｐを巻き取る。
【００１９】
別の表現をすると、本実施例の記録装置１において、セット部２及び巻取部４は、搬送方向Ａと交差する方向Ｂに回転軸を有する回転体である。このため、被記録媒体Ｐとしてロール状の被記録媒体Ｐを使用した場合に、該被記録媒体Ｐを回転させることにより該被記録媒体Ｐを送出するとともに該被記録媒体Ｐをロール状に巻き取って回収する構成である。
【００２０】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部２として、例えば、所謂、給紙（給送）トレイ及び給紙（給送）カセットなどと呼ばれるものを使用してもよい。また、被記録媒体Ｐの回収部として、巻取部４以外の回収部として、例えば、所謂、排出用受部、排紙（排出）トレイ及び排紙（排出）カセットなどと呼ばれるものを使用してもよい。
【００２１】
なお、本実施例の記録装置１は、被記録媒体Ｐの両面に記録を行うことが可能である。図１は、被記録媒体Ｐのロールの外側の面である第１の面１６に記録を行うことが可能な被記録媒体Ｐのセット状態を表している。この場合（ロールが外巻きの場合）の被記録媒体Ｐのセット状態においては、セット部２を回転方向Ｃ１に回転する。一方、被記録媒体Ｐのロールの内側の面である第２の面１７に記録を行う場合（ロールが内巻きの場合）、セット部２を回転方向Ｃ１とは逆の第２の回転方向である回転方向Ｃ２に回転する。  
そして、同様に、図１では、本実施例の巻取部４は被記録媒体Ｐの第１の面１６が外側になるように巻き取る状態であるので、巻取部４は回転方向Ｃ１に回転する。一方、第１の面１６が内側になるように巻き取る場合は、巻取部４の回転軸は回転方向Ｃ２に回転する。  
なお、本実施例では、被記録媒体Ｐのロールの外側の面を第１の面とし、被記録媒体Ｐのロールの内側の面を第２の面としたが、この対応関係は逆であってもよい。また、第１の回転方向を回転方向Ｃ１とし、第２の回転方向を回転方向Ｃ２としたが、この対応関係は逆であってもよい。
【００２２】
また、本実施例の記録装置１は、被記録媒体Ｐの搬送経路に、搬送方向Ａと交差する交差方向Ｂの回転軸を有するローラー対で構成される不図示の搬送部が設けられている。このような構成により、本実施例の記録装置１は、被記録媒体Ｐの搬送経路において、セット部２から送出された被記録媒体Ｐを搬送部が搬送し、搬送部により巻取部４まで搬送された該被記録媒体を巻取部４で巻き取る。
【００２３】
また、本実施例の記録装置１は、被記録媒体Ｐの搬送経路におけるプラテン３と対向する側に記録部としての記録ヘッド６が備えられている。記録装置１は、キャリッジ５を介して交差方向Ｂに記録ヘッド６を往復移動させながら、記録ヘッド６のノズル形成面から被記録媒体Ｐにインクを吐出させて、記録領域Ｒにおいて、所望の画像を形成する。このような構成により、記録部としての記録ヘッド６は、被記録媒体Ｐに液体としてのインクを吐出することができる。
【００２４】
ここで、セット部２は、記録ヘッド６との位置関係から、搬送方向Ａの上流側から記録ヘッド６におけるインクの記録領域Ｒに被記録媒体Ｐを送出可能であるといえる。また、巻取部４は、記録ヘッド６との位置関係から、記録領域Ｒから搬送方向Ａの下流側に送られた被記録媒体Ｐを回収可能であると言える。
【００２５】
また、セット部２及び巻取部４は、記録ヘッド６との位置関係から、記録ヘッド６よりも記録装置１の設置部２７側である下側に設けられている。本実施例の記録装置１のように、一般的な構成の記録装置では、設置部２７が下側になる。すなわち、セット部２及び巻取部４を記録ヘッド６よりも下側に設けることにより、被記録媒体Ｐを持ち上げる長さを短くし、セット部２及び巻取部４への被記録媒体Ｐの取り付け及びこれらからの被記録媒体Ｐの取り外しを容易にしている。  
なお、「設置部」とは、記録装置１が設置される際に、設置される場所の床と接触する部材を意味する。
【００２６】
なお、本実施例の記録装置１は、往復移動しながら記録する記録ヘッド６を備えているが、インクを吐出するノズルを搬送方向Ａと交差する交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。  
また、本実施例の記録ヘッド６は、被記録媒体Ｐに液体としてのインクを吐出することで記録可能な記録部であるが、このような記録部に限定されず、例えば、色材を被記録媒体Ｐに転写して記録する転写式の記録部を使用してもよい。
【００２７】
本実施例の記録装置１におけるセット部２及び巻取部４は、移動可能に構成されている。そこで、次に、図１、図３及び図７を用いて、本実施例の記録装置１におけるセット部２及び巻取部４の移動について説明する。  
ここで、図３は、本実施例の記録装置１の概略側面図であり、図１の状態での第１の面１６への記録の実行が終了し、セット部２及び巻取部４を移動させて、第２の面１７への記録が可能になった状態を表している。また、図７は、従来の記録装置１の概略側面図であり、第１の面１６への記録の実行が可能な状態を表している。
【００２８】
図７で表されるように、従来の記録装置１においては、セット部２及び巻取部４が記録装置１に固定されていた。ここで、図７では、セット部２及び巻取部４が共に脚部７に固定されている記録装置１の一例を表している。  
このため、従来の記録装置１においては、第１の面１６への記録が終了した後、第２の面１７に記録を行うためには、一度、巻取部４で巻き取った被記録媒体Ｐのロールを巻取部４から取り外し、被記録媒体Ｐを持って記録装置１の正面側から背面側に移動し、改めて該被記録媒体Ｐをセット部２にセットする必要があった。被記録媒体Ｐの大きさや種類によっては、被記録媒体Ｐのロールの重量が大きい場合がある。被記録媒体Ｐのロールの重量が大きいと、巻取部４からセット部２に被記録媒体Ｐのロールを移動させることは、ユーザーにとって大きな負荷になる。このため、従来の記録装置１において、重量が大きい被記録媒体Ｐの両面に記録を行うことは、ユーザーに大きな負荷をかけることとなっていた。
【００２９】
一方、本実施例の記録装置１は、図１及び図３で表されるように、セット部２及び巻取部４が方向Ｄに移動可能である。詳細には、セット部２は方向Ｄ１に移動することにより搬送方向Ａの下流側に移動可能であり、巻取部４は方向Ｄ２に移動することにより搬送方向Ａの上流側に移動可能である。そして、図３で表されるように、巻取部４は搬送方向Ａの上流側から記録領域Ｒに被記録媒体Ｐを送出可能であるとともに、セット部２は記録領域Ｒから搬送方向Ａの下流側に送られた被記録媒体Ｐを回収可能である。このため、第１の面１６に記録（インクが吐出）されて巻取部４により回収された被記録媒体Ｐの第２の面１７に記録する場合に、巻取部４からセット部２に該被記録媒体Ｐを移動させることを省略できる。このように、本実施例の記録装置１は、被記録媒体Ｐの両面に記録する際のユーザーの負荷を抑制することが可能な構成になっている。
【００３０】
ここで、本実施例の記録装置１は、第１の面１６に記録されて巻取部４で巻き取った被記録媒体Ｐの第２の面１７に記録する場合、巻取部４から被記録媒体Ｐを送出する際に回転方向Ｃ２に回転することができる構成になっている。このように、セット部２及び巻取部４の少なくとも一方を、第１の回転方向である回転方向Ｃ１及び第２の回転方向である回転方向Ｃ２に回転可能とすることで、巻取部４を搬送方向Ａの下流側から上流側に移動することや、下流側に移動したセット部２を再度上流側に移動することに伴って、被記録媒体Ｐを反転させることなく、前回インクを吐出させた面とは反対側の面にインクを吐出させることができる。セット部２及び巻取部４から取り外して被記録媒体Ｐを反転させることはユーザーに負荷をかけ、セット部２及び巻取部４の反転機構を記録装置１に設けることは困難である場合が多い。このため、セット部２及び巻取部４の少なくとも一方を、第１の回転方向である回転方向Ｃ１及び第２の回転方向である回転方向Ｃ２に回転可能とする構成であることが好ましい。
【００３１】
また、図１及び図３で表されるように、セット部２及び巻取部４は、搬送方向Ａの上流側の被記録媒体Ｐの送出位置２８及び３０と搬送方向Ａの下流側の被記録媒体Ｐの回収位置２９及び３１とを、ガイド部８及び９にガイドされた状態で方向Ｄに直線移動できるように構成されている。このような構成により、セット部２及び巻取部４の移動を容易にしている。  
ここで、本実施例のセット部２及び巻取部４は方向Ｄに直線移動可能であり、複数の位置で固定可能である。該固定箇所としては、方向Ｄにおいて等間隔で複数の位置に固定できる構成としてもよいし、方向Ｄにおける任意の位置で固定できる構成としてもよく、特に限定されない。
【００３２】
次に、本実施例の記録装置１における電気的な構成について説明する。  
図４は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラム等を格納したＲＯＭ１３と、データを一時的に格納可能なＲＡＭ１４と、接続されている。
【００３３】
また、ＣＰＵ１１は、システムバス１２を介して、記録ヘッド６を駆動するためのヘッド駆動部１５と接続されている。  
また、ＣＰＵ１１は、システムバス１２を介して、キャリッジ５を移動させるためのキャリッジモーター１９、セット部２の駆動源である送出モーター２０、搬送部を構成するローラー対における駆動ローラーの駆動源である搬送モーター２１、巻取部４の駆動源である巻取モーター２２、を駆動させるためのモーター駆動部１８と接続されている。  
さらに、ＣＰＵ１１は、システムバス１２を介して、入出力部２３と接続されており、入出力部２３は、記録データ等を記録装置１に入力する外部装置であるＰＣ２４、と接続されている。
【００３４】
なお、本実施例の記録装置１は、セット部２及び巻取部４を移動する際、ユーザーが手動でこれらをスライドさせることにより移動可能な構成となっている。しかしながら、セット部２及び巻取部４を自動で移動させることが可能な移動機構を設け、制御部１０が該移動機構を制御することにより、自動でセット部２及び巻取部４を移動させる構成としてもよい。
【００３５】
［実施例２］（図５）  
次に、実施例２の記録装置について、添付図面を参照して詳細に説明する。  
図５は本実施例の記録装置１を表す概略側面図である。なお、上記実施例１と共通する構成部材は同じ符号で示しており、詳細な説明は省略する。  
なお、本実施例の記録装置１は、セット部２及び巻取部４の移動機構の構成以外は、実施例１の記録装置１と同様の構成である。
【００３６】
実施例１の記録装置１のセット部２及び巻取部４の移動機構は、セット部２及び巻取部４を方向Ｄに直線移動させる構成であった。一方、本実施例の記録装置１のセット部２及び巻取部４の移動機構は、交差方向Ｂに延びる回転軸２５を有するターレット部２６により構成されている。セット部２及び巻取部４は、ターレット部２６に設けられ、回転軸２５を基準に回転方向Ｃ１及び回転方向Ｃ２にターレット部２６を回転させることにより、搬送方向Ａの上流側の被記録媒体Ｐの送出位置２８及び３０と下流側の被記録媒体Ｐの回収位置２９及び３１とを簡単に移動できる。また、セット部２及び巻取部４を同時に移動できるので、セット部２及び巻取部４を移動する際のユーザーの負荷を低減させることができる。  
ここで、本実施例のターレット部２６は回転方向Ｃ１及び回転方向Ｃ２に回転移動可能であり、複数の角度（脚部７に対する角度）で固定可能である。該固定角度としては、回転方向Ｃ１及び回転方向Ｃ２において等間隔で複数の角度に固定できる構成としてもよいし、回転方向Ｃ１及び回転方向Ｃ２における任意の角度で固定できる構成としてもよく、特に限定されない。
【００３７】
［記録方法の実施例］（図６）  
次に、実施例１の記録装置１を用いた記録方法の実施例について説明する。  
図６は、本実施例の記録方法のフローチャートである。
【００３８】
ユーザーが記録装置１に被記録媒体Ｐを図１で表される状態にセットし、ＰＣ２４から被記録媒体Ｐの第１の面１６に記録するための記録データを制御部１０が入力すると、実施例１の記録装置１において、最初に、ステップＳ１１０の被記録媒体Ｐの送出工程（第１の送出工程）で、セット部２は、被記録媒体Ｐを送出する。詳細には、セット部２は、被記録媒体Ｐの搬送方向Ａの上流側から被記録媒体Ｐをインクの吐出領域である記録領域Ｒに送出することにより、被記録媒体Ｐにおけるインクを着弾させる所望の箇所を該記録領域Ｒに送出する。
【００３９】
次に、ステップＳ１２０の第１の面１６への記録工程（第１の記録工程）で、記録領域Ｒに送出された被記録媒体Ｐの第１の面１６の所望の箇所に、記録ヘッド６からインクを吐出する。
【００４０】
次に、ステップＳ１３０の被記録媒体Ｐの巻き取り工程（第１の回収工程）で、第１の面１６にインクが吐出された被記録媒体Ｐを、記録領域Ｒよりも搬送方向Ａの下流側から巻取部４により巻き取って回収する。
【００４１】
次に、ステップＳ１４０の第１の記録終了判断工程において、第１の面１６に記録するための記録データに基づく記録が終了したかどうかの判断をする。そして、該記録データに基づく記録が終了したと判断されるまでステップＳ１１０からステップＳ１４０を繰り返し、該記録データに基づく記録が終了したと判断されたらステップＳ１５０に進む。
【００４２】
第１の面１６に記録するための記録データに基づく記録が終了すると、ユーザーは、ステップＳ１５０のセット部及び巻取部の移動工程（ユニット移動工程）で、セット部２及び巻取部４を移動させる。詳細には、ユーザーは、セット部２を方向Ｄ１に直線移動させることにより搬送方向Ａの上流側の送出位置２８から下流側の回収位置２９に移動させるとともに、巻取部４を方向Ｄ２に直線移動させることにより搬送方向Ａの下流側の回収位置３１から上流側の送出位置３０に移動させる。
【００４３】
次に、ユーザーは記録装置１に被記録媒体Ｐを図３で表される状態にセットし、ＰＣ２４から被記録媒体Ｐの第２の面１７に記録するための記録データを制御部１０が入力すると、ステップＳ１６０の被記録媒体Ｐの送出工程（第２の送出工程）で、巻取部４は、被記録媒体Ｐの搬送方向Ａの上流側から被記録媒体Ｐをインクの記録領域Ｒに送出することにより、被記録媒体Ｐにおけるインクを着弾させる所望の箇所を該記録領域Ｒに送出する。
【００４４】
次に、ステップＳ１７０の第２の面１７への記録工程（第２の記録工程）で、記録領域Ｒに送出された被記録媒体Ｐの第２の面１７の所望の箇所に、記録ヘッド６からインクを吐出する。
【００４５】
次に、ステップＳ１８０の被記録媒体Ｐの巻き取り工程（第２の回収工程）で、第２の面１７にインクが吐出された被記録媒体Ｐを、記録領域Ｒよりも搬送方向Ａの下流側からセット部２により巻き取って回収する。
【００４６】
次に、ステップＳ１９０の第２の記録終了判断工程において、第２の面１７に記録するための記録データに基づく記録が終了したかどうかの判断をする。そして、該記録データに基づく記録が終了したと判断されるまでステップＳ１６０からステップＳ１９０を繰り返し、該記録データに基づく記録が終了したと判断されたら本実施例の記録方法を終了する。
【００４７】
本実施例の記録方法では、セット部２を搬送方向Ａの下流側に移動するとともに巻取部４を搬送方向Ａの上流側に移動し、巻取部４により搬送方向Ａの上流側から記録領域Ｒに被記録媒体Ｐを送出し、記録領域Ｒに送出された被記録媒体Ｐの第２の面１７にインクを吐出（記録）する。このため、第１の面１６にインクが吐出されて巻取部４により回収された被記録媒体Ｐの第２の面１７にインクを吐出する場合に、巻取部４からセット部２に該被記録媒体Ｐを移動させることを省略することを可能にする。こうして、被記録媒体Ｐの両面にインクを吐出する際のユーザーの負荷を抑制することを可能にする。
【００４８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４９】
本発明の第１の態様の記録装置１は、搬送方向Ａに搬送される媒体Ｐに、記録可能な記録部６と、搬送方向Ａの上流側から記録部６における記録領域Ｒに媒体Ｐを送出可能な第１のユニット２と、記録領域Ｒから搬送方向Ａの下流側に送られた媒体Ｐを回収可能な第２のユニット４と、を備え、第１のユニット２は搬送方向Ａの下流側に移動可能であるとともに、第２のユニット４は搬送方向Ａの上流側に移動可能であり、第２のユニット４は搬送方向Ａの上流側から記録領域Ｒに媒体Ｐを送出可能であるとともに、第１のユニット２は記録領域Ｒから搬送方向Ａの下流側に送られた媒体Ｐを回収可能であることを特徴とする。
【００５０】
本態様によれば、第１のユニット２は搬送方向Ａの下流側に移動可能であるとともに、第２のユニット４は搬送方向Ａの上流側に移動可能である。そして、第２のユニット４は搬送方向Ａの上流側から記録領域Ｒに媒体Ｐを送出可能であるとともに、第１のユニット２は記録領域Ｒから搬送方向Ａの下流側に送られた媒体Ｐを回収可能である。このため、媒体Ｐの第１の面１６に記録されて第２のユニット４により回収された媒体Ｐの第２の面１７に記録する場合に、第２のユニット４から第１のユニット２に該媒体Ｐを移動させることを省略することが可能になる。したがって、媒体Ｐの両面１６及び１７に記録する際のユーザーの負荷を抑制することが可能になる。
【００５１】
本発明の第２の態様の記録装置１は、前記第１の態様において、第１のユニット２及び第２のユニット４は、搬送方向Ａと交差する方向Ｂに回転軸を有する回転体であり、媒体Ｐとしてロール状の媒体Ｐを使用した場合に、該媒体Ｐを回転させることにより送出可能であるとともにロール状に巻き取って回収可能であることを特徴とする。
【００５２】
本態様によれば、第１のユニット２及び第２のユニット４は、搬送方向Ａと交差する方向Ｂに回転軸を有する回転体であり、ロール状の媒体Ｐを使用した場合に、該媒体Ｐを回転させることにより送出可能であるとともにロール状に巻き取って回収可能である。このため、ロール状の媒体Ｐを使用して、第１の面１６に記録されて第２のユニット４により回収された媒体Ｐの第２の面１７に記録する場合に、第２のユニット４から第１のユニット２に該媒体Ｐを移動させることを省略することが可能になる。
【００５３】
本発明の第３の態様の記録装置１は、前記第２の態様において、第１のユニット２及び第２のユニット４の少なくとも一方は、第１の回転方向Ｃ１（Ｃ２）及び該第１の回転方向Ｃ１（Ｃ２）とは反対側の回転方向である第２の回転方向Ｃ２（Ｃ１）に回転可能であることを特徴とする。
【００５４】
本態様によれば、第１のユニット２及び第２のユニット４の少なくとも一方は、第１の回転方向Ｃ１（Ｃ２）及び第２の回転方向Ｃ２（Ｃ１）に回転可能である。このため、第２のユニット４を搬送方向Ａの下流側から上流側に移動する際や、下流側に移動した第１のユニット２を再度上流側に移動する際に、媒体Ｐを反転させることなく、前回記録させた面１６（１７）とは反対側の面１７（１６）に記録させることが可能になる。
【００５５】
本発明の第４の態様の記録装置１は、前記第１から第３のいずれか１つの態様において、第１のユニット２及び第２のユニット４は、記録部６よりも記録装置１の設置部２７側に設けられることを特徴とする。
【００５６】
ここで、「設置部」とは、記録装置１が設置される際に、設置される場所の床と接触する部材を意味する。  
本態様によれば、第１のユニット２及び第２のユニット４は、記録部６よりも記録装置１の設置部２７側に設けられる。すなわち、設置部２７が下側になる一般的な構成の記録装置１において、第１のユニット２及び第２のユニット４が記録部６よりも下側に設けられることとなり、媒体Ｐを持ち上げる長さを短くすることができ、第１のユニット２及び第２のユニット４への媒体Ｐの取り付け及びこれらからの媒体Ｐの取り外しが容易になる。
【００５７】
本発明の第５の態様の記録装置１は、前記第１から第４のいずれか１つの態様において、第１のユニット２及び第２のユニット４は、搬送方向Ａの上流側の媒体Ｐの送出位置２８及び３０と搬送方向Ａの下流側の媒体Ｐの回収位置２９及び３１とを、直線移動することを特徴とする。
【００５８】
本態様によれば、第１のユニット及び第２のユニットを、送出位置２８及び３０と回収位置２９及び３１とを直線移動させることにより簡単に移動させることが可能である。
【００５９】
本発明の第６の態様の記録装置１は、前記第５の態様において、送出位置２８及び３０と回収位置２９及び３１との直線移動をガイドするガイド部８及び９を備えることを特徴とする。
【００６０】
本態様によれば、送出位置２８及び３０と回収位置２９及び３１との直線移動をガイドするガイド部８及び９を備える。このため、第１のユニット２及び第２のユニット４の移動を容易にすることが可能になる。
【００６１】
本発明の第７の態様の記録装置１は、前記第１から第４のいずれか１つの態様において、第１のユニット２及び第２のユニット４は、搬送方向Ａの上流側の媒体Ｐの送出位置２８及び３０と搬送方向Ａの下流側の媒体Ｐの回収位置２９及び３１とを、搬送方向Ａと交差する方向Ｂの回転軸２５を基準として回転移動可能であることを特徴とする。
【００６２】
本態様によれば、第１のユニット２及び第２のユニット３を、送出位置２８及び３０と回収位置２９及び３１とを回転移動させることにより簡単に移動させることが可能である。
【００６３】
本発明の第８の態様の記録方法は、記録部６における記録領域Ｒに、媒体Ｐの搬送方向Ａの上流側から、第１のユニット２により媒体Ｐを送出する第１の送出工程と、記録領域Ｒに送出された媒体Ｐの第１の面１６に、記録する第１の記録工程と、第１の面１６に記録された媒体Ｐを、記録領域Ｒよりも搬送方向Ａの下流側から、第２のユニット４により回収する第１の回収工程と、第１のユニット２を搬送方向Ａの下流側に移動するとともに、第２のユニット４を搬送方向Ａの上流側に移動するユニット移動工程と、第２のユニット４により搬送方向Ａの上流側から記録領域Ｒに媒体Ｐを送出する第２の送出工程と、記録領域Ｒに送出された媒体Ｐの第１の面１６とは反対側の第２の面１７に、記録する第２の記録工程と、第２の面１７に記録された媒体Ｐを、搬送方向Ａの下流側において、第１のユニット２により回収する第２の回収工程と、を有することを特徴とする。
【００６４】
本態様によれば、第１のユニット２を搬送方向Ａの下流側に移動するとともに第２のユニット４を搬送方向Ａの上流側に移動し、第２のユニット４により搬送方向Ａの上流側から記録領域Ｒに媒体Ｐを送出し、記録領域Ｒに送出された媒体Ｐの第２の面１７に記録する。このため、第１の面１６に記録されて第２のユニット４により回収された媒体Ｐの第２の面１７に記録する場合に、第２のユニット４から第１のユニット２に該媒体Ｐを移動させることを省略することが可能になる。したがって、媒体Ｐの両面１６及び１７に記録する際のユーザーの負荷を抑制することが可能になる。
【符号の説明】
【００６５】
１  記録装置、２  セット部（第１のユニット）、３  プラテン、
４  巻取部（第２のユニット）、５  キャリッジ、６  記録ヘッド（記録部）、
７  脚部、８  ガイド部、９  ガイド部、１０  制御部、１１  ＣＰＵ、
１２  システムバス、１３  ＲＯＭ、１４  ＲＡＭ、１５  ヘッド駆動部、
１６  被記録媒体Ｐの第１の面、１７  被記録媒体Ｐの台２の面、
１８  モーター駆動部、１９  キャリッジモーター、２０  送出モーター、
２１  搬送モーター、２２  巻取モーター、２３  入出力部、２４  ＰＣ、
２５  回転軸、２６  ターレット部、２７  設置部、２８  送出位置、
２９  回収位置、３０  送出位置、３１  回収位置、Ｐ  被記録媒体（媒体）、
Ｒ  記録領域
【図１】
0006429068.tif 000002
【図２】
0006429068.tif 000003
【図３】
0006429068.tif 000004
【図４】
0006429068.tif 000005
【図５】
0006429068.tif 000006
【図６】
0006429068.tif 000007
【図７】
0006429068.tif 000008